(57)【要約】  危険な及び／または制限されたアクセスのサイトに設置された、炭化水素の輸送のための輸送管、例えば、メタンパイプラインのセクションまたはコンポーネントを監視するためのシステムは、炭化水素の設置エリアにおいて輸送管の前記セクション（１）または前記コンポーネントの変形を検出するための手段（１０２，２）と、コンピュータ化中央ユニット（３）であって、変形を検出するための前記手段（１０２，２）のためのインタフェースを備え、輸送管のセクション（１）またはコンポーネントの状態に関する、特にその考えられる変形に関するデータを受信するために、変形を検出するための前記手段（１０２，２）に接続された、コンピュータ化中央ユニット（３）と、メタンパイプラインを制御する権限を与えられた１つまたは複数の運転中央ステーションまたは遠隔ユーザーに処理されたまたは処理されていない上記データを送信するために、上記コンピュータ化中央ユニット（３）及び遠隔通信ライン（５）に接続されたデータの遠隔送信のための手段（４）と、変形を検出するための手段（１０２，２）、中央ユニット（３）、及び遠隔送信のための手段（４）に、運転に必要とされる電力を提供することを目標とした、変形を検出するための手段（１０２，２）、中央ユニット（３）、及び遠隔送信のための手段（４）に接続された独立型太陽光発電機（１０）とを含む。【選択図】図１
2020514651.tif 000002
【特許請求の範囲】
【請求項１】
危険な及び／または制限されたアクセスのサイトに位置する、炭化水素のための輸送ラインのセクションまたはコンポーネントを監視するためのシステムであって、
−  前記輸送管の前記セクション（１）または前記コンポーネントの変形を、前記輸送管の前記セクション（１）または前記コンポーネントの設置エリアにおいて検出するための手段（１０２，２）と、
―  コンピュータ化中央ユニット（３）であって、変形を検出するための前記手段（１０２，２）のためのインタフェースを備え、輸送管の前記セクション（１）または前記コンポーネントの前記変形に関するデータを受信するために後者に接続された、コンピュータ化中央ユニット（３）と、
―  炭化水素の前記輸送のための前記輸送管を監視する権限を与えられた１つまたは複数の運転ステーションまたは遠隔ユーザーに前記画像またはフィルミングを送信するために、前記コンピュータ化中央ユニット（３）及び遠隔通信ライン（５）に接続されたデータの遠隔送信のための手段（４）と、
―  変形を検出するための前記手段（１０２，２）、前記中央ユニット（３）、及び遠隔送信のための前記手段（４）に、運転に必要とされる電力を提供することを目標とした、変形を検出するための前記手段（１０２，２）、前記中央ユニット（３）、及び遠隔送信のための前記手段（４）に接続された独立型太陽光発電機（１０）と
を含むことを特徴とする、システム。
【請求項２】
変形を検出するための前記手段（１０２）は、輸送管の前記セクション（１）または前記コンポーネントの異なる位置の間、及び／または、後者と固定基準との間に取り付けられた複数のひずみゲージ（１０２ａ，１０２ｂ，１０２ｃ，１０２ｄ，１０２ｅ，１０２ｆ）を含むことを特徴とする、請求項１に記載のシステム。
【請求項３】
輸送管の前記セクション（１）は、弾性要素（２２ａ，２２ｂ）を介して前記セクション（１）の中断領域内に取り付けられた、少なくとも１つの相互接続ジャンクション（２１）によって互いに接続されたピース（１ａ，１ｂ）を含むこと、及び、１つまたは複数のひずみゲージであって、前記ピース（１ａ，１ｂ）の間に取り付けられた第１のひずみゲージ（１０２ａ）；前記相互接続ジャンクション（２１）と地面との間ならびに前記ジャンクションに接続された輸送管の前記セクション（１）の前記ピース（１ａ，１ｂ）と地面との間にそれぞれ取り付けられた第２のひずみゲージ（１０２ｂ）、第３のひずみゲージ（１０２ｃ）、及び第４のひずみゲージ（１０２ｄ）；前記弾性要素（２２ａ，２２ｂ）をバイパスして、前記ピース（１ａ，１ｂ）と前記相互接続ジャンクション（２１）との間にそれぞれ取り付けられた第５のひずみゲージ（１０２ｅ）及び第６のひずみゲージ（１０２ｆ）、から選択される、１つまたは複数のひずみゲージが設けられることを特徴とする、請求項２に記載のシステム。
【請求項４】
前記遠隔通信ライン（５）は、音声及びデータ送信のためのセルラーネットワークからなること、及び、データの遠隔送信のための前記手段（４）は、前記セルラーネットワークを通じて動作するデータ送信デバイス、及び、前記データ送信デバイス（４）と前記コンピュータ化中央ユニット（３）との間に介在するインタフェース（６）を含むことを特徴とする、請求項１に記載のシステム。
【請求項５】
前記遠隔通信ライン（５）は衛星電話接続からなること、及び、データの遠隔送信のための前記手段（４）は、衛星送信／受信デバイス、及び、前記衛星送信／受信デバイスと前記コンピュータ化中央ユニットとの間に設置された接続及び符号化インタフェース（６）を含むことを特徴とする、請求項１に記載のシステム。
【請求項６】
前記発電機（１０）は、１つまたは複数の光起電力パネル（１１）、電力変換デバイス（１２）であって、前記ビデオカメラ（２）、前記中央ユニット（３）、及び遠隔送信のための前記手段（４）によって要求される仕様を満たす、電力変換デバイス（１２）、及び、充電式蓄電池の電池（１３）を備えることを特徴とする、請求項１に記載のシステム。
【請求項７】
変形を検出するための前記手段（１０２）は、少なくとも１つのビデオカメラ（２）を含み、前記少なくとも１つのビデオカメラ（２）は、前記制限されたアクセスのサイトを観察するために設置され、輸送管の前記セクション（１）または前記コンポーネントを、輸送管の前記セクション（１）または前記コンポーネントの設置場所においてフレーミングし撮影するように適合されることを特徴とする、請求項１に記載のシステム。
【請求項８】
コンピュータプログラムのための起動プロシージャであって、前記中央運転ユニットから命令を受信し、前記命令に従ってフィルミング位置を変更するために前記ビデオカメラ（２）に結合されるモーター手段を動作させるための、起動プロシージャは、前記中央ユニット（３）内に設けられることを特徴とする、請求項７に記載のシステム。
【請求項９】
コンピュータプログラムのためのタイミングプロシージャであって、監視動作のタイミングを規定して、あらかじめ定められた時間間隔で前記ビデオカメラ（２）をスイッチオフ／オンし、動作させるための、タイミングプロシージャが前記中央ユニット内に設けられることを特徴とする、請求項７に記載のシステム。
【請求項１０】
複数のインジケータ要素（８）であって、輸送管の前記セクション（１）または前記コンポーネントにならびに／または地面または固定及びあらかじめ定められた位置の周辺構造に締結される、複数のインジケータ要素（８）をさらに備えること、及び、認識及び分析のためのプロシージャであって、前記ビデオカメラ（２）によって送出される前記画像またはフィルミング内の前記インジケータ要素（８）を識別し、前記インジケータ要素（８）の位置を識別し、時間的に後の画像またはフレーム内の前記位置を比較して、前記インジケータ要素（８）の少なくとも１つのインジケータ要素（８）の最小変位さえも検出するための手段、及び、前記運転中央ステーション及び／または前記遠隔監視デバイスに対してアラームメッセージを画定し送出するための手段を装備する、認識及び分析のためのプロシージャは、前記中央ユニット（３）内に設けられることを特徴とする、請求項７に記載のシステム。
【請求項１１】
前記インジケータ要素（８）は、互いに整列しない位置基準軸に沿って取り付けられた目盛り付きロッドまたはプレートを含むことを特徴とする、請求項１０に記載のシステム。
【発明の詳細な説明】
【技術分野】
【０００１】
本発明は、監視システムの技術分野に関し、より正確には、流体炭化水素のための輸送ライン（メタンパイプラインまたはオイルパイプライン）またはより一般的には、上水道などの他の流体のための輸送ラインのための監視システムに関する。
【０００２】
特に、本発明は、上記輸送管の制限されたセクションまたは特定のコンポーネントであって、上記セクションまたはコンポーネントの完全性にとって極めて重要であり得るサイトに設置された、制限されたセクションまたは特定のコンポーネントを連続して監視するためのシステムに関する。
【背景技術】
【０００３】
炭化水素（主に、メタン及び石油またはその誘導体）が、主に、メタンまたはオイルパイプライン、地下または地表パイプラインで構成される輸送ラインによって、生産サイトから貯蔵サイトに、その後、配送及び使用サイトに輸送されることが知られている。全ての輸送管は、概して、圧縮または圧送ステーションよって分離された複数のセクションに分割され、圧縮または圧送ステーションは炭化水素の十分な圧力及び流れを回復させるために長い距離にわたって必要である。流れ遮断弁、リダクションユニットなどのような他のコンポーネントが輸送管に沿って設けられる。これらのコンポーネントの多くは、特に配送ラインに関して、制限されたサイズのキャビンなどの閉鎖構造の内部に設置される。閉鎖構造はしばしば上記コンポーネントを収容するのに過不足のないサイズであり、したがって、維持管理のためにアクセスするのが難しい。
【０００４】
炭化水素の輸送のための輸送管の監視において特定の用途であるが排他的でない用途を見出す本発明によって提案される監視システムは、メタンの輸送のための輸送管または液体炭化水素の輸送のための輸送管に区別なく適用される。しかしながら、説明の便宜上、以下では、全ての記述がオイルパイプライン及び炭化水素の輸送のための他のタイプの輸送管に関して同様に有効であることを考慮して、メタンパイプラインに対して参照が行われることになる。
【０００５】
その性質上、メタンパイプラインは非常に異なる地形学的及び形態学的特徴を有する地域を横断する。それらの地域は、平坦または山がちである、乾燥しているまたは非常に湿度が高い、堅くしまった土を有するまたは沈下のリスクがある、高度に開発されているまたは放棄され少なくとも短時間でアクセスするのが難しい、などの特徴を有する。
【０００６】
いずれにしても、メタンの供給及び配送の連続性が重要であるため、メタンパイプラインの各単一セクションが、常に運営されかつ完全に正常に働く状態にあることを保証することは、完全に例外的な及び予測不能な場合を除いて、生成物の輸送及び配送の中断を回避するために必要不可欠である。しかしながら、これらの散発的な場合においてさえも、問題のサイト及びタイプを即座に識別することは、非常に迅速に介入して問題を解決し、メタンの流れを回復させるために重要である。
【０００７】
緊急事態を最小にするために、メタンパイプラインは、概して、特別に訓練された維持管理技術者のチームによって監視される。しかしながら、この技法は、幾つかの場合に不適切であることがわかっており、特に、その最も重要な局面の幾つかにおいて、メタンパイプラインの状態の十分な制御が保証されない。
【０００８】
特に重大な例は、ランドスライドを起こしやすく、到達不能で不安定な領域を横断するメタンパイプラインのセクションに関しており、その領域は、道路または他の通信チャネルから遠いため、開発が進んでおらずアクセスするのが困難なエリアにしばしば位置する。
【０００９】
これらの場合、十分に注意深くかつ絶え間ない監視サービスを保証することは、難しく、したがってまた非常に費用がかかる。
【００１０】
さらに、現在使用されている監視技法によって、早期警告アクションを実施することは本質的に不可能である。早期警告は、多くの場合、パイプの破損またはパイプラインの他のコンポーネントの深刻な故障の発生を防止することになる。
【００１１】
例えば、地盤が不安定でランドスライドを起こしやすいエリアにおいて、メタンパイプラインの輸送管のセクションまたはコンポーネントがその上に設置されている土地が沈下すると、輸送管に対して深刻な問題が起こり、パイプラインまたは影響を受けるコンポーネントのずれまたは破損をもたらし得る。
【００１２】
ランドスライドまたは何であれ重大な土地沈下は、通常、完全に予測できない現象では無く、地面の小さい局所的変位、表面の陥没、地表割れの形成などのような十分に識別される兆候によってほとんど常に予期されるものである。これらの信号は、適切なランドスライドの何時間、さらには何日も前に発生し得る。
【００１３】
いずれの場合も、適時に識別される場合には、危険なガスパイプラインのセクションの近くの状況の小さい変化は、保護処置をとることを可能にし、輸送ラインのパイプまたはコンポーネントに対する破損または深刻な損傷をしばしば回避し得る。
【００１４】
さらに、ランドスリップ及びランドスライドを起こしやすいエリアにおいては特に、特別なチュービングセクションがしばしば輸送管内に設置され、特別なチュービングセクションは、周辺土壌の小さい変位及びその変位が輸送管に対して生成する応力の効果を軽減することを可能にする。そのようなパイプセクションは、端部におけるばねセクション、及びおそらくは、誘電体ジョイントと呼ばれる特定のデバイスの存在によって弾性を持つ。これらの解決策は、上記応力に応答して輸送管のセクションが数センチメートルだけ収縮・拡張することを可能にする。しかしながら、そのような特別のセクションの効果は限定的であり、輸送管の大きい移動を埋め合わせることができないことは明らかである。
【発明の概要】
【発明が解決しようとする課題】
【００１５】
本発明の目的は、炭化水素の輸送のための輸送管の危険なセクションまたは輸送管の重要なコンポーネントを監視するためのシステムを提案することであり、監視するためのシステムは、輸送管セクションの状況に関する連続情報を情報収集センターに提供することを可能にする。
【００１６】
本発明のもうひとつの目的は、監視される輸送ラインのセクションまたはコンポーネントについての潜在的に危険な状況について早期警報情報を提供することが可能な監視システムを提案することである。
【課題を解決するための手段】
【００１７】
これらの及び他の目的は、危険な及び／または制限されたアクセスのサイトに設置された、炭化水素の輸送のための輸送管、例えば、メタンパイプラインのセクションまたはコンポーネントを監視するためのシステムによって包括的に達成され、監視するためのシステムは、
輸送管のセクションまたはコンポーネントの変形をその設置場所において検出するための手段と、
コンピュータ化中央ユニットであって、変形を検出するための上記手段のためのインタフェースを備え、輸送管のセクションまたはコンポーネントの状態に関する、特に、その考えられる変形に関するデータを受信するために、変形を検出するための上記手段に接続された、コンピュータ化中央ユニットと、
メタンパイプラインを制御する権限を与えられた１つまたは複数の運転中央ステーションまたは遠隔ユーザーに、おそらくは処理された上記データを送信するために、上記コンピュータ化中央ユニット及び遠隔通信ラインに接続されたデータの遠隔送信のための手段と、
変形を検出するための手段、中央ユニット、及び遠隔送信のための手段に、運転に必要とされる電力を提供することを目標とした、変形を検出するための手段、中央ユニット、及び遠隔送信のための手段に接続された独立型太陽光発電機とを備える。
【００１８】
本発明の目立った特徴は、特許請求の内容による、炭化水素の輸送のための輸送管のセクションまたはコンポーネントを監視するためのシステムの好ましい実施形態の以下の説明から、また、添付図面の助けを借りて明らかになる。
【図面の簡単な説明】
【００１９】
【図１】炭化水素の輸送のための輸送管のセクションを監視するためのシステムの好ましい実施形態の構成の、部分的に複数のブロックでの略図である。
【図２】図１の独立型発電機の概略的であるがより詳細な図である。
【図３】監視システムの代替の実施形態に設けられる、位置基準を示す要素の配置構成の略図である。
【図４】本発明の基本的な実施形態の略図である。
【発明を実施するための形態】
【００２０】
上記図において、参照数字１００は、本発明によって得られる、炭化水素の輸送のための輸送管、特にメタンパイプラインのセクション１またはコンポーネントを監視するためのシステムを示す。
【００２１】
監視されるメタンパイプラインのセクション１またはコンポーネントは、概して、深刻な問題を有するサイトに設置され、深刻な問題を有するサイトは、セクション１またはコンポーネントの完全性に対して、したがって、搬送ライン全体の運転に対して潜在的に危険である。さらに、セクション１またはコンポーネントは、建物または部屋、例えば閉鎖キャビンの内部に、しばしば地下にまたは地階に設置される。例えば、図１、３、及び４は、輸送管セクション１を含む部分を示す閉鎖構造３０を示す。しかしながら、設置サイトは異なる場合があること、及び、その構造は本発明に関連しないことが理解される。
【００２２】
例えば、設置サイトは、ランドスライド及びランドスリップを起こしやすく、したがって、不安定である丘陵性または山地性領域の一部であり得る。メタンパイプラインのセクション１またはそのコンポーネントが、地表、またさらには地下に固定されるため、いかなる地面の移動も、たとえ中程度であってもサイトに影響を及ぼし、システムの変形または破損をもたらす可能性がある応力を生成し得ることが明らかである。
【００２３】
特に、輸送管のセクション１は、弾性接続部を有する特別のセグメントである場合があり、弾性接続部は、周辺土壌の中程度の変位によって、弾性接続部が設置される輸送管の部分から受ける応力に応答して、弾性接続部が拡張及び収縮を受けるように設けられる。以下の説明における網羅的でない例によって、これらの特別なセグメントのうちの１つに適用される本発明に対して参照が行われ、そのセグメントは、要素２２ａ、２２ｂのような２つの弾性ベローズを介して輸送管セクション１の２つのセクション１ａ、１ｂを接続するための、輸送管セクション１の中断部に挿入される相互接続ジョイント２１を備える。これらの弾性要素２２ａ、２２ｂは、その連続性を中断することなく、したがって、その機能を中断することなく輸送管のセクション１のわずかな変形に追従するように設計される。しかしながら、中程度の変形の発生が、弾性接続セグメント２１によって吸収されても、その後の深刻な問題の兆候となり、したがって、変形を阻止しメタンパイプラインを安全にするための調整作業のプラニング中に考慮される場合があることは明らかである。
【００２４】
やはり網羅的でない例によって、時として、パイプラインのコンポーネントは、上述した状況の影響を受けるのに加えて、周期的な浸水を受ける場合があるか、またはさらに永久的に浸漬される場合があるような構造の内部に設置され得る。
【００２５】
さらに、問題のサイトは、しばしば、アクセス不能でかつ到達するのが難しい開発が進んでいないエリアに位置するため、維持管理チームによる直接監視でさえも、複雑かつ高価になる。
【００２６】
これらの理由で、危険なサイトにおける異常の発生を喫緊に識別して、メタンパイプラインのセクションまたはコンポーネント１を損傷する突然の事象の場合に損傷及び不都合を最小にすることは必要不可欠であり、設置サイトでしばしば起こるそのような事象の警告信号を即座に検出し識別することは同様に非常に重要である。警告信号には例えば、小さい局所的ランドスリップ、割れ、その他プラントに損傷をまだ起こしてはいないがより重大なランドスライドを予示するもの、または浸水を受けるサイトでの中程度の量の水の存在がある。
【００２７】
本発明による監視システム１００は、そのような危険なサイトに設置されることを意図され、完全に自己充足的な方法で動作することができ、最大監視効率を、サイトで入手可能な電気及び通信チャネルと結合するようにプログラムされ得る。
【００２８】
以下では、説明の便宜上、システム１００の構造は、メタンパイプラインのセクション１の監視を参照して述べられる。しかしながら、システムの同じ構造が、例えば、圧送ステーション、遮断弁、リダクションユニットなどのような、メタンまたは他の炭化水素の輸送のための輸送管の他のコンポーネントに同様に区別なく適用され得ることが理解される。
【００２９】
本発明の好ましい実施形態において、（図１参照）監視システム１００は、複数のひずみゲージで構成される、変形を検出するための手段１０２を備え、複数のひずみゲージは、輸送管のセクション１の異なる部分の間か、輸送管のセクション１の重要なポイントと地面との間か、またはいずれの場合も、これらのポイントと、輸送管のセクションから切り離された基準ポイント、例えば構造の壁３０との間に取り付けられる。しかしながら、ひずみゲージの数及び配置は、本発明の範囲から逸脱することなく同様に変動する場合がある。
【００３０】
ひずみゲージは、公知でありかつ商業的に入手可能なデバイスである。ひずみゲージは、概して、互いに対して軸方向に摺動する２つの要素で構成され、摺動を電気信号に変換する変換器、及び、得られた電気信号を外部ユーザーに利用可能にするように適合される出力インタフェースを備える。
【００３１】
図１に示す本発明の例示的な実施形態によれば、６つのひずみゲージが存在する。６つのひずみゲージとは、輸送管の上記ピース１ａ、１ｂの間に取り付けられ、２つの述べたピースの相対的変位を検出することを意図される第１のひずみゲージ１０２a、相互接続ジョイント２１と地面との間ならびにピース１ａ、１ｂと地面との間にそれぞれ取り付けられた第２のひずみゲージ１０２ｂ、第３のひずみゲージ１０２ｃ、及び第４のひずみゲージ１０２ｄ、相対弾性要素２２ａ、２２ｂをバイパスして、相互接続ジョイント２１と２つのピース１ａ、１ｂとの間にそれぞれ取り付けられた第５のひずみゲージ１０２ｅ及び第６のひずみゲージ１０２ｆである。
【００３２】
ひずみゲージの上記で述べ示した構成は、本発明１００によって提供される監視可能性の網羅的でない例と考えられる。上述したひずみゲージの一部のみまたは他の異なるように配置されたひずみゲージを備える異なる構成は、本発明の範囲から逸脱することなく達成され得る。
【００３３】
ひずみゲージ１０２ａ、１０２ｂ、１０２ｃ、１０２ｄ、１０２ｅ、１０２ｆは、ひずみゲージの出力インタフェースを介して、コンピュータ化中央ユニット３の適合する入力チャネルに接続され、特別な商業的な有線または無線インタフェース（例えば、「Ｂｌｕｅｔｏｏｔｈ（登録商標）」、「Ｄｉｒｅｃｔ  Ｗｉｒｅｌｅｓｓ」、または他の等価な技術）を備える。中央ユニット３は、サイトの特性（中央ユニット３が、開放され悪天候にさらされるか、あるいは、閉鎖されるかまたはその他の方法で保護されるか）に応じて適したコンテナ内に設置され、以下でよりよく指定されることになることに従って、監視システムの動作を管理するためのコンピュータプログラムを提供する。
【００３４】
図４に概略的に示す異なる実施形態において、監視システム１００は、変形を検出するための手段を備え、変形を検出するための手段は、デジタル画像記録用またはビデオ記録用ビデオカメラ２からなり、上記画像またはフィルミングを、適した符号化に従って送出するための適した有線または無線インタフェースを備える。ビデオカメラ２は、メタンパイプラインのセクション１の近くに位置決めされて、セクション１の少なくとも有意の部分をフレーミングする。
【００３５】
ビデオカメラ２は、中央コンピュータ化ユニット３に接続され、適した商業的な有線または無線インタフェース（同様に、この場合、例えば「Ｂｌｕｅｔｏｏｔｈ（登録商標）」、「Ｄｉｒｅｃｔ  Ｗｉｒｅｌｅｓｓ」、または他の等価な技術）を明らかに備える。
【００３６】
中央管理ユニット３は、データの遠隔送信のための手段４に同様に接続され、データの遠隔送信のための手段４は、監視システム１００を、遠隔運転中央ユニットとまたはパイプラインを監視する権限を与えられた他のサブジェクトと通信状態にして、ひずみゲージ１０２ａ、１０２ｂ、１０２ｃ、１０２ｄ、１０２ｅ、１０２ｆから受信されるデータあるいはビデオカメラ２から受信される画像またはフィルミングのような、監視されるセクション１の状態に関する情報を送信し、またおそらくは、コマンドまたは更新情報を受信することを意図される。遠隔送信のための手段４は、サイトについて利用可能かつより適切であるものの中から適切に選択される；例えば、「３Ｇ」または「４Ｇ」セルラーデータネットワークによってカバーされるサイトの場合、最も有利な接続は、一般的なインターネット接続であることになり、一方、そのようなカバレージが存在しない場合、最も適した接続は、ネットワーク衛星電話上でのデータ接続であり得る。いずれにしても、これらの技術は、公知でありかつ通常利用可能であり、したがって、さらに詳細には述べられない。
【００３７】
しかしながら、中央ユニット３は、もうひとつのインタフェース６及び上記遠隔送信手段４と接続するための関連するソフトウェアプロシージャを提供する。
【００３８】
変形を検出するための手段１０２の好ましい実施形態において、中央ユニット３で実行されるコンピュータプログラムは、ひずみゲージによってもたらされるデータを取得し格納するためのプロシージャを備える。受信されたそのようなデータを、遠隔運転中央ユニットまたは権限を与えられた他の実体に送出するためのプロシージャ、あるいは、直前の読みからの有意の差または所定の注意閾値の値を超えることを検出するために、送出する前にデータを処理するプロシージャが同様に存在する。
【００３９】
中央ユニット３で実行されるコンピュータプログラムは、ビデオカメラ２によってもたらされる画像またはフィルミングを取得し格納し、符号化して、それらを遠隔運転中央ユニットまたは権限を与えられた別のサブジェクトに連続的にまたは周期的に送出するためのプロシージャを備える。
【００４０】
監視システム１００を完全に自己充足的にすることは本発明の重要な態様であるが、そのために、監視システム１００は、独立型太陽光発電機１０を同様に備え、独立型太陽光発電機１０は、中央ユニット３に、直接にまたは上記中央ユニット３によってビデオカメラ２に、また遠隔送信のための手段４に電気接続されて、それらの動作に必要な電力供給を行う。
【００４１】
図２に示す有利な実施形態において、発電機１０は、１つまたは複数の光起電力パネル１１、電力変換デバイス１２であって、上記ビデオカメラ２、中央ユニット３、及び遠隔送信のための手段４のために設けられる仕様による電力変換デバイス１２、及び、光起電力パネルの過剰生産の期間における電荷であって、不充分な生産の期間に送出されるための、電荷を貯蔵するための充電式蓄電池のセット１３を備える。発電機１０のコンポーネントは、監視システムの通常運転のために十分なエネルギー可用性を保証するように寸法決定される。
【００４２】
いずれにしても、エネルギー変換デバイス１２は、有利には、中央ユニット３との（例えば、ローカルネットワークまたはＵＳＢインタフェースによる、商業的タイプの）データ接続部７を備えて、蓄電池の充電状態、また必要である場合、光起電力パネル１１の現在のエネルギー生産に関するデータ及び情報を送信する。このため、中央ユニット３で実行される管理プログラムは、そのような情報、及び、エネルギーの可用性が低い場合のシステムの運転についての任意の修正を受信するためのプロシージャを適切に備える。例えば、このプロシージャは、上記セクション１の状態における考えられる変化を通信するためにビデオカメラ２及び／または遠隔送信のための手段４の活動を定期的に中断し、それらを定期的に再起動しようと決める場合がある。
【００４３】
設置サイトが、浸漬されるサイトである、またはそうでなければ、望ましくないフラッディングを受ける場合、ビデオカメラ２は、防水または水中ビデオカメラである場合がある。
【００４４】
すぐに理解可能であるため図示しない１つのバージョンにおいて、ビデオカメラ２は、適したインタフェースによって中央ユニット３によって制御可能な電動支持体上に同様に設置され得る。この場合、管理プログラムは、ビデオカメラ２のフィルミング位置を修正し、したがって、監視エリアを拡張するために、ビデオカメラ２のモーター手段を制御するためのさらなるプロシージャを含む。
【００４５】
監視されるメタンパイプラインのパイプラインのセクション１（または他のコンポーネント）は、例えばランドスライドを起こしやすいサイトに位置する場合、破損または好ましくない変位を生じる大きいランドスリップのような重要かつ損傷を与える事象が起こる前でさえも、例えばその後の主要なランドスリップの前兆となる地面の小さい変位によって引き起される、小さくてより漸進的な応力を受ける場合がある。この場合、パイプラインのセクション１は、小さい変位または変形であって、実際には有害ではないが、識別される場合、そのエリアの予防的圧密化の緊急調整作業を提案する場合のある、小さい変位または変形を受け、したがって、その後の問題を回避する場合がある。そのような小さい変位または変形ならびに周囲地形の小さい変位は、上述した監視システム１００によって受信される画像またはフィルミングの単純な目視評価に従う監視要員では認識されない場合がある。
【００４６】
そのため、さらなる実施形態によれば、上記基本実施形態を発展させたものとして得られる監視システム１００（図３参照）は、ビデオカメラ２によって識別可能な複数のインジケータ要素８をさらに備え、複数のインジケータ要素８は、セクション１、またはメタンパイプラインのコンポーネント、あるいは周辺地形または構造の厳密な位置を画定することを意図される。これらのインジケータ要素８は、セクション１またはコンポーネントに対して、あるいは周囲の地面または物品に対して公知かつ所定の位置に固定される。
【００４７】
例として、インジケータ要素８は、おそらくは認識マークの彫刻によって目盛り付けられた直線ロッドまたはプレートからなる場合がある。この直線ロッドまたはプレートは、有利には、整列していない基準軸に沿って、好ましくは３つの基準軸に沿って取り付けられる。
【００４８】
中央ユニット３は、識別プロシージャ及び分析プロシージャを同様に含み、識別及び分析プロシージャは、ビデオカメラ２によって受信されるフィルミングの連続する画像またはフレーム内の全てのインジケータ要素８の正確な位置を識別し、これらの位置の基準と比較して、それらの考えられる移動、さらには最微小の移動をもチェックするためのソフトウェアを備える。
【００４９】
こうして、監視システム１００は、運転中央ユニット、及び／または、画像及びフィルミングを監視する権限を与えられたサブジェクトに画像またはフィルミングを送出できるだけでなく、監視システム１００は、インジケータ要素の中程度の変位から生じる、したがってパイプラインの監視されるセクション１の、監視されるコンポーネントの、あるいは周辺土壌または構造の中程度の変形から生じる、考えられる異常をも報告し得る。
【００５０】
この実施形態の変形において、監視システム１００は、これらの異常が起こると、遠隔通信ライン上でデータ及び情報を送信できるだけである。データ及び情報は、異常を示す画像またはフィルミング内の、上記異常に関連する数値データのみから、または、両方のタイプの情報からなる場合がある。
【００５１】
上記監視システムによって提供される利点は、炭化水素の輸送のための輸送管のリスクセクションまたは輸送管の重要コンポーネントの常時更新された状態を、単純かつ確実な方法で利用可能にすることに由来し、そのことは、普通なら不可能かまたは非常に難しくかつ達成するのに費用がかかることになる。
【００５２】
本発明の別の利点は、監視される輸送ラインのセクションまたはコンポーネントについてのおそらくは重要な状況に関する早期警告情報を、輸送ラインの維持管理及び保全に責任のある１つまたは複数のサブジェクトに供給することが可能な監視システムを提案することに由来する。
【００５３】
上述したことが、例証的かつ制限的でないことが理解され、したがって、技術的及び／または機能的理由で必要になる可能性のある詳細についての考えられる変形は、今後、後述の特許請求項によって規定される同じ保護範囲内にあると考えられる。
【図１】
2020514651.tif 000003
【図２】
2020514651.tif 000004
【図３】
2020514651.tif 000005
【図４】
2020514651.tif 000006
【国際調査報告】
2020514651.tif 000007
2020514651.tif 000008
2020514651.tif 000009